(57)【特許請求の範囲】
【請求項１】
少なくとも一端側が断面円形とされる棒状部と、該棒状部の一端側先端に設けられ、該棒状部の軸心と平行で、かつ該軸心と偏心して配置される断面円形のピン部と、を備えてなる調整治具を使用する撮像装置における光学系調整方法であって、第一の部材と第二の部材を相対的に移動させる撮像装置における光学系調整方法において、
前記第一の部材には前記調整治具における棒状部の断面円形部分が挿入される孔が形成され、かつ前記第二の部材には前記ピン部が挿入される凹部が形成されており、
前記第一の部材に形成される孔は前記調整治具における棒状部の断面円形部分の直径と略同一の寸法幅を有する長孔であり、前記第二の部材に形成される凹部は前記調整治具におけるピン部の直径と略同一の内径を有するピン穴であって、
前記長孔は、前記第一の部材の長手方向両端側であって該長手方向に延びる一対の長孔と、前記第一の部材の長手方向一端側であって該長手方向に直交する方向に延びる長孔であり、
前記第一の部材と第二の部材を所定の位置関係に配置し、前記第一の部材に形成される前記長孔に前記調整治具における棒状部の断面円形部分を挿入し、かつ前記第二の部材に形成される前記ピン穴に前記ピン部を挿入して、前記棒状部の断面円形部分と前記ピン部の何れか一方を軸として回転させることで、第一の部材と第二の部材を相対的に移動させ、前記第二の部材に対し前記第一の部材を、該第一の部材の長手方向及び該長手方向に直交する方向に相対的に移動可能とし、かつ前記第二の部材に対する前記第一の部材の回転角を調整可能とすることを特徴とする撮像装置における光学系調整方法。
【請求項２】
前記第一の部材はイメージセンサを固定するプレートであり、前記第二の部材は前記プレートを固定する部材である請求項１記載の撮像装置における光学系調整方法。
【発明の詳細な説明】
【技術分野】
【０００１】
本発明は、調整治具を使用する撮像装置における光学系調整方法に関する。
【背景技術】
【０００２】
固体撮像素子を使用したテレビカメラや画像読取装置（スキャナ）などの撮像装置には、一般にＣＣＤ（Charge Coupled Device）イメージセンサが利用されている。これら撮像装置は、レンズを備えたレンズ筒（鏡筒）１０３と、該レンズを通して像を読み取るイメージセンサ１０５と、該イメージセンサ１０５を固定する取付基板１０４から構成され、組み立て時に、イメージセンサ１０５の位置の調整が行われるものである（特許文献１参照）。
【０００３】
図１４及び図１５は、特許文献１に記載されたイメージセンサ１０５の位置調整方法を示す。
特許文献１に記載のものは、イメージセンサ１０５の取付基板１０４が、イメージセンサ１０５の主走査方向と同一の横方向（Ｘ軸方向）、及び上下方向（Ｙ軸方向）に移動可能であり、またレンズの光軸（Ｌ軸）を中心に回転可能な構造となっている。そして、レンズの光軸に対しほぼ直角に配置された取付基板１０４にイメージセンサ１０５を固定した後、該イメージセンサ１０５によるパターン１３２の読み取りが行われ、該読み取り情報に基づいて取付基板１０４を移動させイメージセンサ１０５の位置を調整するものである。
【０００４】
図１４に記載の方法は、例えばオシロスコープを見ながら、ねじ１０６及びレンチ１０７を使って手作業により取付基板１０４を移動させイメージセンサ１０５の位置の調整を行うものである。
一方、図１５に記載の方法は、前記取付基板１０４をＸ軸方向、Ｙ軸方向へ移動させ、またＬ軸を中心として回転させるパルスモータ１２０〜１２２をそれぞれ配置するものであり、イメージセンサ１０５による調整パターン１３２の読み取り情報に基づいて当該パルスモータ１２０〜１２２を駆動制御し取付基板１０４を移動させ、イメージセンサ１０５の位置を調整するものである。
【０００５】
しかしながら、図１４に記載の手動による調整方法では、イメージセンサの位置調整精度は５０μｍ程度であり、それ以上の高精度の調整は望めない。
また、図１５に記載のパルスモータを利用した自動調整方法では、装置が大型化したり高価になるという問題がある。
【先行技術文献】
【特許文献】
【０００６】
【特許文献１】特公平３−５６５０６号公報
【発明の概要】
【発明が解決しようとする課題】
【０００７】
そこで、本発明は、イメージセンサの位置等を安価で高精度に調整することができる、調整治具を使用する撮像装置における光学系調整方法を提供することを目的とする。
【課題を解決するための手段】
【０００８】
本発明の参考発明は、少なくとも一端側が断面円形とされる棒状部と、該棒状部の一端側先端に設けられ、該棒状部の軸心と平行で、かつ該軸心と偏心して配置される断面円形のピン部と、を備えてなる撮像装置における光学系調整治具であって、
前記棒状部の断面円形部分が第一の部材に形成される孔に挿入され、かつ前記ピン部が第二の部材に形成される凹部に挿入されて、前記棒状部の断面円形部分と前記ピン部の何れか一方を軸として回転させられることで、第一の部材と第二の部材を相対的に移動させるものである。
【０００９】
本発明の参考発明は、前記第一の部材がイメージセンサを固定するプレートであり、前記第二の部材が前記プレートを固定する部材であることが好ましい。
【００１０】
本発明の参考発明は、前記第一の部材がレンズ筒を固定する部材であり、前記第二の部材が前記レンズ筒であることが好ましい。
【００１１】
上記目的を達成するため、本発明は、少なくとも一端側が断面円形とされる棒状部と、該棒状部の一端側先端に設けられ、該棒状部の軸心と平行で、かつ該軸心と偏心して配置される断面円形のピン部と、を備えてなる調整治具を使用する撮像装置における光学系調整方法であって、第一の部材と第二の部材を相対的に移動させる撮像装置における光学系調整方法において、
前記第一の部材には前記調整治具における棒状部の断面円形部分が挿入される孔が形成され、かつ前記第二の部材には前記ピン部が挿入される凹部が形成されており、
前記第一の部材に形成される孔は前記調整治具における棒状部の断面円形部分の直径と略同一の寸法幅を有する長孔であり、前記第二の部材に形成される凹部は前記調整治具におけるピン部の直径と略同一の内径を有するピン穴であって、
前記長孔は、前記第一の部材の長手方向両端側であって該長手方向に延びる一対の長孔と、前記第一の部材の長手方向一端側であって該長手方向に直交する方向に延びる長孔であり、
前記第一の部材と第二の部材を所定の位置関係に配置し、前記第一の部材に形成される前記長孔に前記調整治具における棒状部の断面円形部分を挿入し、かつ前記第二の部材に形成される前記ピン穴に前記ピン部を挿入して、前記棒状部の断面円形部分と前記ピン部の何れか一方を軸として回転させることで、第一の部材と第二の部材を相対的に移動させ、前記第二の部材に対し前記第一の部材を、該第一の部材の長手方向及び該長手方向に直交する方向に相対的に移動可能とし、かつ前記第二の部材に対する前記第一の部材の回転角を調整可能とすることを特徴とするものである。
【００１２】
本発明は、前記第一の部材がイメージセンサを固定するプレートであり、前記第二の部材が前記プレートを固定する部材であることが好ましい。
【００１３】
【００１４】
【００１５】
本発明の参考発明は、前記第一の部材がレンズ筒を固定する部材であり、前記第二の部材が前記レンズ筒であることが好ましい。
【００１６】
本発明の参考発明は、前記第一の部材に形成される孔が前記調整治具における棒状部の断面円形部分の直径と略同一の内径を有する孔であり、前記第二の部材に形成される凹部が前記調整治具におけるピン部の直径と略同一の寸法幅を有する周方向溝であることが好ましい。
【発明の効果】
【００１７】
本発明の参考発明の撮像装置における光学系調整治具によれば、コンパクトで簡単な構造にも関わらず、手作業による単純な操作で１０μｍオーダーの高精度な光学系の調整を行うことができる。
【００１８】
本発明の参考発明の撮像装置における光学系調整治具は、イメージセンサを固定するプレートと該プレートを固定する部材を相対的に移動させるものとすれば、イメージセンサの位置を安価で高精度に調整することができる。
【００１９】
また、本発明の参考発明の撮像装置における光学系調整治具は、レンズ筒を固定する部材と該レンズ筒を相対的に移動させるものとすれば、レンズの位置調整、即ちレンズのピント合わせを安価で高精度に行うことができる。
【００２０】
本発明の撮像装置における光学系調整方法によれば、第一の部材には調整治具における棒状部の断面円形部分が挿入される孔が形成され、かつ第二の部材にはピン部が挿入される凹部が形成されており、第一の部材と第二の部材を所定の位置関係に配置し、第一の部材に形成される孔に前記棒状部の断面円形部分を挿入し、かつ第二の部材に形成される凹部に前記ピン部を挿入して、前記棒状部の断面円形部分と前記ピン部の何れか一方を軸として回転させることで、第一の部材と第二の部材を相対的に移動させるものであるので、手作業による単純な操作にも関わらず第一の部材と第二の部材を１０μｍオーダーで相対的に移動させることができ高精度な光学系の調整を行うことができる。
【００２１】
本発明の撮像装置における光学系調整方法は、イメージセンサを固定するプレートと該プレートを固定する部材を相対的に移動させるものとすれば、イメージセンサの位置を安価で高精度に調整することができる。
【００２２】
本発明の撮像装置における光学系調整方法は、第一の部材に形成される孔が調整治具における棒状部の断面円形部分の直径と略同一の寸法幅を有する長孔であり、第二の部材に形成される凹部が調整治具におけるピン部の直径と略同一の内径を有するピン穴であるので、前記調整治具をピン部を軸として回転させることで第二の部材に対し第一の部材を相対的にかつ円滑に移動させることができる。
【００２３】
また、本発明の撮像装置における光学系調整方法は、前記長孔が、第一の部材の長手方向両端側であって該長手方向に延びる一対の長孔と、第一の部材の長手方向一端側であって該長手方向に直交する方向に延びる長孔であるので、第二の部材に対し第一の部材を、第一の部材の長手方向及び該長手方向に直交する方向に相対的に移動させることができる。また、第一の部材の長手方向両端側であって該長手方向に延びる一対の長孔を利用して該長手方向に直交する方向に対する相対的な移動量を調整すれば、第二の部材に対する第一の部材の回転角を調整することもできる。
【００２４】
本発明の参考発明の撮像装置における光学系調整方法は、レンズ筒を固定する部材と該レンズ筒を相対的に移動させるものとすれば、レンズの位置調整、即ちレンズのピント合わせを安価で高精度に行うことができる。
【００２５】
本発明の参考発明の撮像装置における光学系調整方法は、第一の部材に形成される孔が調整治具における棒状部の断面円形部分の直径と略同一の内径を有する孔であり、第二の部材に形成される凹部が調整治具におけるピン部の直径と略同一の寸法幅を有する周方向溝であるものとすれば、前記調整治具を棒状部の断面円形部分を軸として回転させることで第一の部材に対し第二の部材を相対的に移動させることができる。
【図面の簡単な説明】
【００２６】
【図１】イメージセンサ及び該イメージセンサの回路基板を固定する金属プレートの斜視図。
【図２】金属プレートにイメージセンサ及び該イメージセンサの回路基板を固定した状態におけるイメージセンサ側からの斜視図。
【図３】金属プレートにイメージセンサ及び該イメージセンサの回路基板を固定した状態における回路基板側からの斜視図。
【図４】図３の金属プレートの右側面図。
【図５】カメラケースの内部構造の斜視図。
【図６】カメラケースに金属プレートを固定した状態の平面図。
【図７】調整棒の斜視図。
【図８】図７のＡ部拡大図。
【図９】カメラケースに対し金属プレートをＹ軸方向に移動させる様子の説明図。
【図１０】カメラケースに対し金属プレートをＸ軸方向に移動させる様子の説明図。
【図１１】カメラケースとレンズ筒並びに調整棒の関係の説明図。
【図１２】ピント調整時におけるレンズ筒と調整棒との関係の説明図。
【図１３】カメラケースに対しレンズの取付位置を調整する様子の説明図。
【図１４】従来のイメージセンサの位置調整方法の説明図。
【図１５】従来のイメージセンサの位置調整方法の説明図。
【発明を実施するための形態】
【００２７】
本発明の実施の形態を図面に基づいて説明する。
図１は、本発明の実施の形態で用いる、イメージセンサ及び該イメージセンサの回路基板を固定する金属プレートの斜視図を示す。
金属プレート１は、後述するイメージセンサを固定するための梁部１１、該イメージセンサの回路基板を固定するための枠部１２、孔部１８、当該金属プレート１を後述するカメラケースに固定するためのネジ孔１３ａ〜１３ｄ、及びカメラケースに対し当該金属プレート１を移動させイメージセンサの位置を調整するために使用する調整孔１４〜１６を備えるものである。
当該調整孔１４〜１６は、金属プレート１の梁部１１の両端側に一対設けられ、当該梁部１１と平行な第１の方向（ｘ軸方向）に延びる長孔からなる第１及び第２調整孔１４，１５と、金属プレート１の梁部１１の一端側に設けられ、前記第１の方向に直交する第２の方向（ｙ軸方向）に延びる長孔からなる第３調整孔１６からなるものである。
ここで、金属プレート１は、イメージセンサから発生する熱を放熱する機能を果たすものでもあり、材質としてはアルミとするのが好ましい。
【００２８】
図２及び図３は、金属プレートにイメージセンサ及び該イメージセンサの回路基板を固定した状態であって、図２はイメージセンサを固定した側からの斜視図を、図３は回路基板を固定した側からの斜視図をそれぞれ示す。図４は、図３の右側面図を示す。
図２に示すように、イメージセンサ２は金属プレート１の一側面において梁部１１に沿って当該梁部１１に平行に固定される。一方、図３に示すように、回路基板３は金属プレート１の他側面において枠部１２の四隅にネジ３１ａ〜３１ｄで固定される。図４からも明らかなように、イメージセンサ２と回路基板３は金属プレート１に対し当該金属プレート１を挟んだ状態で固定されている。
【００２９】
図５は、金属プレートを固定するカメラケースの内部構造の斜視図を示す。
カメラケース４は、図５に示す左右両側に金属プレート１を固定するためのネジ孔４１ａ〜４１ｄを備えるものであり、該ネジ孔４１ａ〜４１ｄの近傍にカメラケース４に対し金属プレート１を移動させイメージセンサ２の位置を調整するために使用するピン穴４２〜４４を備えるものである。また、カメラケース４は、その略中央部にレンズを通した光をイメージセンサ２に導くための開口４５を備えるものである。なお、前記ピン穴４２〜４４は有底が好ましいが、貫通したものであってもよい。
【００３０】
図６は、カメラケースに金属プレートを固定した状態の平面図を示す。
図示されるように、金属プレート１に形成される前記第１乃至第３調整孔１４〜１６とカメラケース４に形成される前記各ピン穴４２〜４４とは、カメラケース４に金属プレート１を固定した場合に対応する孔同士が重なるよう配置されている。そして、前記各ピン穴４２〜４４の直径は、長孔とされる前記各調整孔１４〜１６よりも小さく形成されている。
【００３１】
図７は、本実施の形態において使用する調整棒の斜視図を示す。
調整棒５は、棒状部５１と、該棒状部５１の先端に設けられる偏心ピン５２と、棒状部５１の後端に設けられる操作部５３から構成されている。
図８は、図７のＡ部拡大図を示す。
棒状部５１先端の前記偏心ピン５２は、棒状部５１の軸心と平行で、かつ該軸心に対し偏心した位置に設けられている。
調整棒５における前記棒状部５１及び偏心ピン５２は、ともに断面円形の円筒状又は円柱状に形成される。棒状部５１の直径は、金属プレート１の前記各調整孔１４〜１６の短手方向の幅と略同じ大きさであって、棒状部５１が当該各調整孔１４〜１６に挿入された際に各調整孔１４〜１６内で回転可能な大きさとされる。偏心ピン５２の直径は、カメラケース４の前記各ピン穴４２〜４４と略同じ大きさであって、偏心ピン５２が各ピン穴４２〜４４に挿入された際に各ピン穴４２〜４４内で回転可能な大きさとされる。
なお、調整棒５における棒状部５１は、少なくとも偏心ピン５２が設けられる一端側であって金属プレート１の前記各調整孔１４〜１６に挿入される部分が断面円形とされていればよい。
【００３２】
本実施の形態において、カメラケースに対して金属プレートを移動させイメージセンサの位置を調整する方法について説明する。なお、ここでは、撮像装置の使用時においてイメージセンサの主走査方向と同一となる方向をＸ軸方向、該主走査方向と直交する方向であって副走査方向と同一となる方向をＹ軸方向とする。
図９は、カメラケースに対し金属プレートをＹ軸方向に移動させる様子の説明図を示す。また、図１０は、カメラケースに対し金属プレートをＸ軸方向に移動させる様子の説明図を示す。
まず、図２乃至図４に示すように一側面にイメージセンサ２、他側面に該イメージセンサ２の回路基板３が固定された金属プレート１を準備する。次に、図５に示すカメラケース４の背面側における所定位置に前記金属プレート１を配置する。このとき、前記イメージセンサ２が、カメラケース４の開口４５に対向するよう金属プレート１を配置する。そして、金属プレート１に形成されるネジ孔１３ａ〜１３ｄ及びカメラケース４に形成されるネジ孔４１ａ〜４１ｄを利用して、当該金属プレート１をネジ１７ａ〜１７ｄによりカメラケース４に仮止めした後、図９及び図１０に示すように、イメージセンサ２によるパターン１００の読み取りにより、前記調整棒５を用いて金属プレート１をカメラケース４に対し相対的に移動させ、イメージセンサ２の位置の調整を行う。
【００３３】
金属プレート１をカメラケース４に対しＹ軸方向に移動させる場合、図９に示すように、一対の第１及び第２調整孔１４，１５に調整棒５，５の棒状部５１，５１先端を挿入する。その際、各調整棒５，５の棒状部５１，５１先端に設けられる偏心ピン５２，５２を、前記各調整孔１４，１５に対応して位置するカメラケース４の各ピン穴４２，４３に挿入する。そして、各調整棒５，５の操作部５３，５３を把持し前記各ピン穴４２，４３に挿入した偏心ピン５２，５２を軸として調整棒５，５を回転操作する。この時、各調整棒５，５の各棒状部５１，５１が、各偏心ピン５２，５２を軸として偏心した状態で回転するため、前記金属プレート１は、当該各棒状部５１，５１が挿入される各調整孔１４，１５の内面においてＹ軸方向に力を受け移動する。
なお、金属プレート１をカメラケース４に対しＹ軸方向に移動させる方法としては、二本の調整棒を使用して左右同時に操作を行うこともできるし、一方ずつ、あるいは一方のみ操作を行うこともできる。また、左右における移動量を異ならせることで、イメージセンサ２の回転方向における位置を調整することもできる。
【００３４】
一方、金属プレート１をカメラケース４のＸ軸方向に移動させる場合、図１０に示すように、右側に設けられる第３調整孔１６に調整棒５の棒状部５１先端を挿入する。その際、調整棒５の棒状部５１先端に設けられる偏心ピン５２を、前記調整孔１６に対応して位置するカメラケース４のピン穴４４に挿入する。そして、調整棒５の操作部５３を把持し前記ピン穴４４に挿入した偏心ピン５２を軸として調整棒５を回転操作する。この時、調整棒５の棒状部５１が、偏心ピン５２を軸として偏心した状態で回転するため、前記金属プレート１は、当該棒状部５１が挿入される調整孔１６の内側においてＸ軸方向に力を受け移動する。
そして、カメラケース４に対するイメージセンサ２の取付位置を調整した後は、ネジ１７ａ〜１７ｄを本締めし金属プレート１をカメラケース４に固定する。
なお、図示しないが、三本の調整棒を同時に使用して、金属プレート１をカメラケース４に対しＸ，Ｙ両軸方向に同時に移動させイメージセンサ２の位置を調整することもできる。これにより、イメージセンサ２の位置をより高精度に調整することが可能となる。
【００３５】
上記イメージセンサ２の位置の調整方法は、金属プレート１をカメラケース４に仮止めした後、調整棒５を用いて前記金属プレート１をカメラケース４に対し相対的に移動させるものであるので、例えばカメラケース４が撮像装置を配備する各種装置や機器に予め取り付けられている場合であって、該カメラケース４に対してイメージセンサ２の位置の調整を行う場合等に有効である。また、金属プレート１がカメラケース４に対し容易に移動しないため、高精度の位置調整を行うことが可能である。
【００３６】
次に、本発明の参考発明の実施の形態について説明する。
図１１は、カメラケースとレンズ筒並びに調整棒の関係の説明図を示す。
レンズが装着されるレンズ筒６は、カメラケース４のレンズ装着部４６に装着される。レンズ装着部４６の側面には調整棒挿入孔４７が形成されている。また、該調整棒挿入孔４７の上下の位置にはネジ孔４８ａ，４８ｂが形成されており、レンズ筒６をレンズ装着部４６内面に対しネジ４９ａ，４９ｂにより固定できるものとなっている。前記レンズ装着部４６に装着されるレンズ筒６は、調整棒挿入孔４７に挿入される調整棒５′によって前記レンズ装着部４６内における軸方向（後述する図１２及び図１３におけるＬ軸方向）位置が調整される。
調整棒５′は、図７及び図８に示すものと同様の構造であり、棒状部５１′の直径は、前記調整棒挿入孔４７の内径と略同一の大きさであって、当該調整棒挿入孔４７に挿入されて該挿入孔４７内で回転可能な大きさとされる。
【００３７】
図１２は、ピント調整時におけるレンズ筒と調整棒の関係の説明図を示す。
レンズ筒６の側面には周溝６１が形成されている。そして、前記調整棒５′の棒状部５１′先端に設けられる偏心ピン５２′の直径は、前記周溝６１の溝幅と略同一の大きさであって、当該周溝６１に挿入されて該周溝６１内で回転可能な大きさとされている。
【００３８】
ここで、参考発明の実施の形態において、カメラケースのレンズ装着部に対しレンズ筒を軸方向に移動させレンズ筒の取付位置、即ちイメージセンサに対するレンズのピントを調整する方法について説明する。
図１３は、カメラケースに対しレンズの取付位置を調整する様子の説明図を示す。
まず、カメラケース４のレンズ装着部４６にレンズ筒６を装着する。次に、該装着部４６に形成されるネジ孔４８ａ，４８ｂを利用してネジ４９ａ，４９ｂによりレンズ筒６を該装着部４６内面に仮止めした後、調整棒挿入孔４７に調整棒５′の棒状部５１′先端を挿入する。その際、調整棒５′の棒状部５１′先端に設けられる偏心ピン５２′をレンズ筒６の周溝６１に挿入する。そして、調整棒５′の操作部５３′を把持し前記調整棒挿入孔４７に挿入した棒状部５１′を軸として調整棒５′を回転操作する。この時、調整棒５′の先端に位置する偏心ピン５２′が、棒状部５１′を軸として偏心した状態で回転するため、前記レンズ筒６は当該偏心ピン５２′が挿入される周溝６１の上下の内壁面において上下方向、即ちＬ軸方向に力を受け移動する。
レンズ装着部４６に対するレンズ筒６の取付位置を調整した後は、前記ネジ４９ａ，４９ｂを本締めしレンズ筒６をレンズ装着部４６に固定する。
これにより、レンズの微妙なピント調整を精度良く行うことができる。
【００３９】
上記レンズ筒６の取付位置の調整は、レンズ筒６を前記レンズ装着部４６に仮止めした後、調整棒５′を用いて前記レンズ筒６をレンズ装着部４６に対しＬ軸方向に移動させるものであるので、例えばカメラケース４が撮像装置を配備する各種装置や機器に予め取り付けられている場合であって、該カメラケース４に対してレンズ筒６の取付位置の調整を行う場合等に有効である。また、レンズ筒６は、カメラケース４に対し容易に移動しないため、高精度の位置調整を行うことが可能である。
【００４０】
上記本発明及び参考発明の各実施の形態において、金属プレート１及びレンズ筒６は、それぞれカメラケース４及びカメラケース４のレンズ装着部４６に対し固定することを前提として説明したが、撮像装置が配備される各種装置や機器のハウジングやカバー等、カメラケースの代替となる部材に対し固定するものであってもよい。その場合、金属プレートやレンズ筒が固定されるカメラケースや該カメラケースに形成されるレンズ装着部が、単にハウジングやカバー等の代替部材に置き換わるだけであって、調整棒の先端に設けられる偏心ピンを挿入するためのピン穴やレンズ装着部の側面に形成される調整棒挿入孔が、それら代替部材に形成されることは同様である。
【産業上の利用可能性】
【００４１】
本発明の撮像装置における光学系調整方法によれば、固体撮像素子を使用したテレビカメラや画像読取装置（スキャナ）などの撮像装置において、ＣＣＤ等のイメージセンサの取付位置を、簡単な操作で高精度に調整することができ、非常に利用性の高いものである。
【符号の説明】
【００４２】
１      金属プレート
２      イメージセンサ
３      回路基板
４      カメラケース
５，５′      調整棒
６      レンズ筒
１１      梁部
１２      枠部
１３ａ〜１３ｄ      ネジ孔
１４      第１調整孔
１５      第２調整孔
１６      第３調整孔
１７ａ〜１７ｄ      ネジ
４１ａ〜４１ｄ      ネジ孔
４２，４３，４４      ピン穴
４５      開口
４６      レンズ装着部
４７      調整棒挿入孔
４８ａ，４８ｂ      ネジ孔
４９ａ，４９ｂ      ネジ
５１，５１′      棒状部
５２，５２′      偏心ピン
５３，５３′      操作部
６１      周溝
【図１】
0005617269.tif 000002
【図２】
0005617269.tif 000003
【図３】
0005617269.tif 000004
【図４】
0005617269.tif 000005
【図５】
0005617269.tif 000006
【図６】
0005617269.tif 000007
【図７】
0005617269.tif 000008
【図８】
0005617269.tif 000009
【図９】
0005617269.tif 000010
【図１０】
0005617269.tif 000011
【図１１】
0005617269.tif 000012
【図１２】
0005617269.tif 000013
【図１３】
0005617269.tif 000014
【図１４】
0005617269.tif 000015
【図１５】
0005617269.tif 000016